(57)【要約】【課題】表示パネルの色度ばらつきを補償する際に、補償後の色度ばらつき範囲を小さく抑える。【解決手段】表示パネルの第１の色、第２の色、第３の色の目標とする規格上の色度座標をＲｏ、Ｇｏ、Ｂｏとするとき、ＲｏとＧｏを通る直線と、ＲｏとＢｏを通る直線により、Ｒｏを中心座標とする所定の領域を領域Ａないし領域Ｄの領域に分割し、色度座標変換の対象となる表示パネルの第１の色、第２の色、第３の色の色度座標をＲｉ、Ｙｉ、Ｚｉとするとき、Ｒｉが４つの領域のどの領域に存在するかを判定し、領域Ａであれば、Ｒｏを色度座標変換の目標座標となし、領域Ｂであれば、ＲｉとＺｉとを結ぶ直線と、ＲｏとＧｏを結ぶ直線との交点Ｒａを求め、Ｒａを目標座標となし、領域Ｃであれば、ＲｉとＹｉとを結ぶ直線と、ＲｏとＢｏを結ぶ直線との交点Ｒｂを求め、Ｒｂを目標座標となし、領域Ｄであれば、Ｒｉを目標座標とする。【選択図】    図５Ａ
2012242420.tif 000002
【特許請求の範囲】
【請求項１】
表示パネルと、
前記表示パネルを駆動する駆動手段とを備え、
前記駆動手段は、前記表示パネルの色度ずれを補償する色度補正手段を有する表示装置であって、
前記駆動手段に入力される映像データは、少なくとも第１の色データ、第２の色データ、第３の色データを含み、
前記色度補正手段は、色度座標上において、前記表示パネルの第１の色、第２の色、第３の色の目標とする規格上の色度座標を、Ｒｏ、Ｇｏ、Ｂｏとするとき、ＲｏとＧｏを通る直線と、ＲｏとＢｏを通る直線により、Ｒｏを中心座標とする所定の領域を、
ＲｏとＧｏを通る直線上のｙ座標より、ｙ座標が大で、かつ、ＲｏとＢｏを通る直線上のｙ座標より、ｙ座標が小である領域Ａと、
ＲｏとＧｏを通る直線上のｙ座標より、ｙ座標が大で、かつ、ＲｏとＢｏを通る直線上のｙ座標より、ｙ座標が大である領域Ｂと、
ＲｏとＧｏを通る直線上のｙ座標より、ｙ座標が小で、かつ、ＲｏとＢｏを通る直線上のｙ座標より、ｙ座標が小である領域Ｃと、
ＲｏとＧｏを通る直線上のｙ座標より、ｙ座標が小で、かつ、ＲｏとＢｏを通る直線上のｙ座標より、ｙ座標が大である領域Ｄの４つの領域に分割する手段１と、
色度座標変換の対象となる表示パネルの第１の色、第２の色、第３の色の色度座標をＲｉ、Ｇｉ、Ｂｉとするとき、Ｒｉが前記領域Ａないし領域Ｄの４つの４領域のどの領域に存在するかを判定する手段２と、
前記手段２で判定した結果、前記Ｒｉが領域Ａに属していれば、Ｒｏを色度座標変換の際に使用する目標色度座標となし、前記Ｒｉが領域Ｂに属していれば、ＲｉとＢｉとを結ぶ直線と、ＲｏとＧｏを結ぶ直線との交点Ｒａを求め、Ｒａを色度座標変換の際に使用する目標色座標となし、前記Ｒｉが領域Ｃに属していれば、ＲｉとＧｉとを結ぶ直線と、ＲｏとＢｏを結ぶ直線との交点Ｒｂを求め、Ｒｂを色度座標変換の際に使用する目標色度座標となし、前記Ｒｉが領域Ｄに属していれば、Ｒｉを色度座標変換の際に使用する目標色度座標とする手段３と、
前記手段３で求めた目標色度座標を用いて、前記第１の色の入力データに対して色度座標変換を行い、前記第１の色の出力データを生成する手段４とを有することを特徴とする表示装置。
【請求項２】
前記所定の領域は、Ｒｏを中心として、ｘ座標で±０．５、ｙ座標で±０．５の範囲であることを特徴とする請求項１に記載の表示装置。
【請求項３】
前述手段３、手段４において、前記手段２で判定した結果、前記Ｒｉが領域Ａに属していれば、前記Ｒｉに代えて予め求めた代表値ＲＴａを使用し、前記Ｒｉが領域Ｂに属していれば、前記Ｒｉに代えて予め求めた代表値ＲＴｂを使用し、前記Ｒｉが領域Ｃに属していれば、前記Ｒｉに代えて予め求めた代表値ＲＴｃを使用することを特徴とする請求項１に記載の表示装置。
【請求項４】
色度座標上において、予め、前記表示パネルの第１の色の分布データを取得しておき、領域Ａないし領域Ｃ毎に分布データの平均値を求めて、その平均値をその領域の代表値とすることを特徴とする請求項３に記載の表示装置。
【請求項５】
前記手段２は、前記Ｒｉのｙ座標が、ＲｏとＧｏを通る直線上のｙ座標と一致し、かつ、ＲｏとＢｏを通る直線上のｙ座標より小さいとき、および、ＲｏとＧｏを通る直線上のｙ座標より大きく、かつ、ＲｏとＢｏを通る直線上のｙ座標と一致するとき、前記Ｒｉは、前記領域Ａに存在すると判定し、
前記Ｒｉのｙ座標が、ＲｏとＧｏを通る直線上のｙ座標と一致し、かつ、ＲｏとＢｏを通る直線上のｙ座標より大きいとき、前記Ｒｉは、前記領域Ｂに存在すると判定し、
前記Ｒｉのｙ座標が、ＲｏとＧｏを通る直線上のｙ座標より小さく、かつ、ＲｏとＢｏを通る直線上のｙ座標と一致するとき、前記Ｒｉは、前記領域Ｃに存在すると判定することを特徴とする請求項１に記載の表示装置。
【請求項６】
表示パネルと、
前記表示パネルを駆動する駆動手段とを備え、
前記駆動手段は、前記表示パネルの色度ずれを補償する色度補正手段を有する表示装置であって、
前記駆動手段に入力される映像データは、少なくとも第１の色データ、第２の色データ、第３の色データを含み、
前記色度補正手段は、色度座標上において、前記表示パネルの第１の色、第２の色、第３の色の目標とする規格上の色度座標を、Ｒｏ、Ｇｏ、Ｂｏとするとき、ＲｏとＧｏを通る直線と、ＧｏとＢｏを通る直線により、Ｇｏを中心座標とする所定の領域を、
ＲｏとＧｏを通る直線上のｙ座標より、ｙ座標が大で、かつ、ＧｏとＢｏを通る直線上のｙ座標より、ｙ座標が大である領域Ａと、
ＲｏとＧｏを通る直線上のｙ座標より、ｙ座標が大で、かつ、ＧｏとＢｏを通る直線上のｙ座標より、ｙ座標が小である領域Ｂと、
ＲｏとＧｏを通る直線上のｙ座標より、ｙ座標が小で、かつ、ＧｏとＢｏを通る直線上のｙ座標より、ｙ座標が大である領域Ｃと、
ＲｏとＧｏを通る直線上のｙ座標より、ｙ座標が小で、かつ、ＧｏとＢｏを通る直線上のｙ座標より、ｙ座標が小である領域Ｄの４つの領域に分割する手段１と、
色度座標変換の対象となる表示パネルの第１の色、第２の色、第３の色の色度座標をＲｉ、Ｇｉ、Ｂｉとするとき、Ｇｉが前記領域Ａないし領域Ｄの４つの４領域のどの領域に存在するかを判定する手段２と、
前記手段２で判定した結果、前記Ｇｉが領域Ａに属していれば、Ｇｏを色度座標変換の際に使用する目標色度座標となし、前記Ｇｉが領域Ｂに属していれば、ＧｉとＢｉとを結ぶ直線と、ＲｏとＧｏを結ぶ直線との交点Ｇａを求め、Ｇａを色度座標変換の際に使用する目標色座標となし、前記Ｒｉが領域Ｃに属していれば、ＲｉとＧｉとを結ぶ直線と、ＧｏとＢｏを結ぶ直線との交点Ｇｂを求め、Ｇｂを色度座標変換の際に使用する目標色度座標となし、前記Ｒｉが領域Ｄに属していれば、Ｒｉを色度座標変換の際に使用する目標色度座標とする手段３と、
前記手段３で求めた目標色度座標を用いて、前記第２の色の入力データに対して色度座標変換を行い、前記第１の色の出力データを生成する手段４とを有することを特徴とする表示装置。
【請求項７】
前記所定の領域は、Ｇｏを中心として、ｘ座標で±０．５、ｙ座標で±０．５の範囲であることを特徴とする請求項６に記載の表示装置。
【請求項８】
前記手段３、手段４において、前記手段２で判定した結果、前記Ｇｉが領域Ａに属していれば、前記Ｇｉに代えて予め求めた代表値ＧＴａを使用し、前記Ｇｉが領域Ｂに属していれば、前記Ｇｉに代えて予め求めた代表値ＧＴｂを使用し、前記Ｇｉが領域Ｃに属していれば、前記Ｇｉに代えて予め求めた代表値ＧＴｃを使用することを特徴とする請求項６に記載の表示装置。
【請求項９】
色度座標上において、予め、前記表示パネルの第２の色の分布データを取得しておき、領域Ａないし領域Ｃ毎に分布データの平均値を求めて、その平均値をその領域の代表値とすることを特徴とする請求項８に記載の表示装置。
【請求項１０】
前記手段２は、前記Ｇｉのｙ座標が、ＲｏとＧｏを通る直線上のｙ座標と一致し、かつ、ＧｏとＢｏを通る直線上のｙ座標より大きいとき、および、ＲｏとＧｏを通る直線上のｙ座標より大きく、かつ、ＧｏとＢｏを通る直線上のｙ座標と一致するとき、前記Ｇｉは、前記領域Ａに存在すると判定し、
前記Ｇｉのｙ座標が、ＲｏとＧｏを通る直線上のｙ座標と一致し、かつ、ＧｏとＢｏを通る直線上のｙ座標より小さいとき、前記Ｇｉは、前記領域Ｂに存在すると判定し、
前記Ｇｉのｙ座標が、ＲｏとＧｏを通る直線上のｙ座標より小さく、かつ、ＧｏとＢｏを通る直線上のｙ座標と一致するとき、前記Ｇｉは、前記領域Ｃに存在すると判定することを特徴とする請求項６に記載の表示装置。
【請求項１１】
表示パネルと、
前記表示パネルを駆動する駆動手段とを備え、
前記駆動手段は、前記表示パネルの色度ずれを補償する色度補正手段を有する表示装置であって、
前記駆動手段に入力される映像データは、少なくとも第１の色データ、第２の色データ、第３の色データを含み、
前記色度補正手段は、色度座標上において、前記表示パネルの第１の色、第２の色、第３の色の目標とする規格上の色度座標を、Ｒｏ、Ｇｏ、Ｂｏとするとき、ＲｏとＢｏを通る直線と、ＧｏとＢｏを通る直線により、Ｂｏを中心座標とする所定の領域を、
ＲｏとＢｏを通る直線上のｙ座標より、ｙ座標が小で、かつ、ＧｏとＢｏを通る直線上のｙ座標より、ｙ座標が大である領域Ａと、
ＲｏとＢｏを通る直線上のｙ座標より、ｙ座標が小で、かつ、ＧｏとＢｏを通る直線上のｙ座標より、ｙ座標が小である領域Ｂと、
ＲｏとＢｏを通る直線上のｙ座標より、ｙ座標が大で、かつ、ＧｏとＢｏを通る直線上のｙ座標より、ｙ座標が大である領域Ｃと、
ＲｏとＢｏを通る直線上のｙ座標より、ｙ座標が大で、かつ、ＧｏとＢｏを通る直線上のｙ座標より、ｙ座標が大である領域Ｄの４つの領域に分割する手段１と、
色度座標変換の対象となる表示パネルの第１の色、第２の色、第３の色の色度座標をＲｉ、Ｇｉ、Ｂｉとするとき、Ｂｉが前記領域Ａないし領域Ｄの４つの４領域のどの領域に存在するかを判定する手段２と、
前記手段２で判定した結果、前記Ｂｉが領域Ａに属していれば、Ｂｏを色度座標変換の際に使用する目標色度座標となし、前記Ｂｉが領域Ｂに属していれば、ＧｉとＢｉとを結ぶ直線と、ＲｏとＢｏを結ぶ直線との交点Ｂａを求め、Ｂａを色度座標変換の際に使用する目標色座標となし、前記Ｒｉが領域Ｃに属していれば、ＲｉとＢｉとを結ぶ直線と、ＧｏとＢｏを結ぶ直線との交点Ｂｂを求め、Ｂｂを色度座標変換の際に使用する目標色度座標となし、前記Ｒｉが領域Ｄに属していれば、Ｒｉを色度座標変換の際に使用する目標色度座標とする手段３と、
前記手段３で求めた目標色度座標を用いて、前記第３の色の入力データに対して色度座標変換を行い、前記第１の色の出力データを生成する手段４とを有することを特徴とする表示装置。
【請求項１２】
前記所定の領域は、Ｂｏを中心として、ｘ座標で±０．５、ｙ座標で±０．５の範囲であることを特徴とする請求項１１に記載の表示装置。
【請求項１３】
前記手段３、手段４において、前記手段２で判定した結果、前記Ｂｉが領域Ａに属していれば、前記Ｂｉに代えて予め求めた代表値ＢＴａを使用し、前記Ｂｉが領域Ｂに属していれば、前記Ｂｉに代えて予め求めた代表値ＢＴｂを使用し、前記Ｂｉが領域Ｃに属していれば、前記Ｂｉに代えて予め求めた代表値ＢＴｃを使用することを特徴とする請求項１１に記載の表示装置。
【請求項１４】
色度座標上において、予め、前記表示パネルの第３の色の分布データを取得しておき、領域Ａないし領域Ｃ毎に分布データの平均値を求めて、その平均値をその領域の代表値とすることを特徴とする請求項１３に記載の表示装置。
【請求項１５】
前記手段２は、前記Ｂｉのｙ座標が、ＧｏとＢｏを通る直線上のｙ座標と一致し、かつ、ＲｏとＢｏを通る直線上のｙ座標より小さいとき、および、ＧｏとＢｏを通る直線上のｙ座標より大きく、ＲｏとＢｏを通る直線上のｙ座標と一致するとき、前記Ｂｉは、前記領域Ａに存在すると判定し、
前記Ｂｉのｙ座標が、ＧｏとＢｏを通る直線上のｙ座標より小さく、かつ、ＲｏとＢｏを通る直線上のｙ座標と一致するとき、前記Ｂｉは、前記領域Ｂに存在すると判定し、
前記Ｂｉのｙ座標が、ＧｏとＢｏを通る直線上のｙ座標と一致し、かつ、ＲｏとＢｏを通る直線上のｙ座標より大きいとき、前記Ｂｉは、前記領域Ｃに存在すると判定することを特徴とする請求項１１に記載の表示装置。
【発明の詳細な説明】
【技術分野】
【０００１】
本発明は、表示装置に係わり、特に、液晶表示パネルの色度ばらつきを補償する方法に関する。
【背景技術】
【０００２】
一般に、液晶表示パネルは、色再現性が、光の波長や、輝度に依存して変換する。そのため、液晶表示パネルに表示しようとする色（目標とする規格上の色）と、液晶表示パネルに実際に表示される色とは異なっている。
以下、本明細書では、このような、規格上の色と、液晶表示パネルに実際に表示される色の微妙な色ズレを色度ばらつきと称する。
特に、車載用の液晶表示パネルでは、この色度ばらつきの許容差は、色度座標上で、ｘ、ｙともに±０．０５と大きく、色度ばらつきの改善が要望されている。
本願の発明者は、このような色度ばらつきを改善するための方法を、下記特許文献１で提案済みである。この提案済みの特許文献１では、液晶の特性バラツキによる色度座標の補正を表示データの演算により行う場合の具体的な座標変換方法について記載している。
【先行技術文献】
【特許文献】
【０００３】
【特許文献１】特願２０１１−４９７４８号
【発明の概要】
【発明が解決しようとする課題】
【０００４】
例えば、液晶表示パネルの規格上の目標色度（目標とする規格上の色度）を、Ｒｏ（０．６３、０．３５）、Ｇｏ（０．３５、０．５６）、Ｇｏ（０．１５、０．１５）とし、公差が±０．０５とするとバラツキを含めた範囲は、図１１の点線の範囲となる。図１１において、ＲＧＢそれぞれの点線で示す領域を、領域Ｒ（ＥＲＡ−Ｒ）、領域Ｇ（ＥＲＡ−Ｇ）、領域Ｂ（ＥＲＡ−Ｂ）とする。
このばらつきに対し、前述の特許文献１で提案したような、データ変換により表示色度座標を変換する方法では、色度調整により目標色度への変換が可能なのは、図１１で示す斜線で表示した範囲となる。
このように、前述の特許文献１で提案したデータ変換によりばらつきを抑えられる範囲は狭く、製品としての規格上の効果が見えづらい状況である。
本発明は、前記従来技術の問題点を解決するためになされたものであり、本発明の目的は、表示パネルの色度ばらつきを補償する際に、補償後の色度ばらつき範囲を小さく抑えることが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）表示パネルと、前記表示パネルを駆動する駆動手段とを備え、前記駆動手段は、前記表示パネルの色度ずれを補償する色度補正手段を有する表示装置であって、前記駆動手段に入力される映像データは、少なくとも第１の色データ、第２の色データ、第３の色データを含み、
前記色度補正手段は、色度座標上において、前記表示パネルの第１の色、第２の色、第３の色の目標とする規格上の色度座標を、Ｒｏ、Ｇｏ、Ｂｏとするとき、ＲｏとＧｏを通る直線と、ＲｏとＢｏを通る直線により、Ｒｏを中心座標とする所定の領域を、
ＲｏとＧｏを通る直線上のｙ座標より、ｙ座標が大で、かつ、ＲｏとＢｏを通る直線上のｙ座標より、ｙ座標が小である領域Ａと、
ＲｏとＧｏを通る直線上のｙ座標より、ｙ座標が大で、かつ、ＲｏとＢｏを通る直線上のｙ座標より、ｙ座標が大である領域Ｂと、
ＲｏとＧｏを通る直線上のｙ座標より、ｙ座標が小で、かつ、ＲｏとＢｏを通る直線上のｙ座標より、ｙ座標が小である領域Ｃと、
ＲｏとＧｏを通る直線上のｙ座標より、ｙ座標が小で、かつ、ＲｏとＢｏを通る直線上のｙ座標より、ｙ座標が大である領域Ｄの４つの領域に分割する手段１と、
色度座標変換の対象となる表示パネルの第１の色、第２の色、第３の色の色度座標をＲｉ、Ｇｉ、Ｂｉとするとき、Ｒｉが前記領域Ａないし領域Ｄの４つの４領域のどの領域に存在するかを判定する手段２と、
前記手段２で判定した結果、前記Ｒｉが領域Ａに属していれば、Ｒｏを色度座標変換の際に使用する目標色度座標となし、前記Ｒｉが領域Ｂに属していれば、ＲｉとＢｉとを結ぶ直線と、ＲｏとＧｏを結ぶ直線との交点Ｒａを求め、Ｒａを色度座標変換の際に使用する目標色座標となし、前記Ｒｉが領域Ｃに属していれば、ＲｉとＧｉとを結ぶ直線と、ＲｏとＢｏを結ぶ直線との交点Ｒｂを求め、Ｒｂを色度座標変換の際に使用する目標色度座標となし、前記Ｒｉが領域Ｄに属していれば、Ｒｉを色度座標変換の際に使用する目標色度座標とする手段３と、
前記手段３で求めた目標色度座標を用いて、前記第１の色の入力データに対して色度座標変換を行い、前記第１の色の出力データを生成する手段４とを有する。
【０００６】
（２）（１）において、前記所定の領域は、Ｒｏを中心として、ｘ座標で±０．５、ｙ座標で±０．５の範囲である。
（３）（１）において、前記手段３、手段４において、前記手段２で判定した結果、前記Ｒｉが領域Ａに属していれば、前記Ｒｉに代えて予め求めた代表値ＲＴａを使用し、前記Ｒｉが領域Ｂに属していれば、前記Ｒｉに代えて予め求めた代表値ＲＴｂを使用し、前記Ｒｉが領域Ｃに属していれば、前記Ｒｉに代えて予め求めた代表値ＲＴｃを使用する。
（４）（３）において、色度座標上において、予め、前記表示パネルの第１の色の分布データを取得しておき、領域Ａないし領域Ｃ毎に分布データの平均値を求めて、その平均値をその領域の代表値とする。
（５）（１）において、前記手段２は、前記Ｒｉのｙ座標が、ＲｏとＧｏを通る直線上のｙ座標と一致し、かつ、ＲｏとＢｏを通る直線上のｙ座標より小さいとき、および、ＲｏとＧｏを通る直線上のｙ座標より大きく、かつ、ＲｏとＢｏを通る直線上のｙ座標と一致するとき、前記Ｒｉは、前記領域Ａに存在すると判定し、前記Ｒｉのｙ座標が、ＲｏとＧｏを通る直線上のｙ座標と一致し、かつ、ＲｏとＢｏを通る直線上のｙ座標より大きいとき、前記Ｒｉは、前記領域Ｂに存在すると判定し、前記Ｒｉのｙ座標が、ＲｏとＧｏを通る直線上のｙ座標より小さく、かつ、ＲｏとＢｏを通る直線上のｙ座標と一致するとき、前記Ｒｉは、前記領域Ｃに存在すると判定する。
【０００７】
（６）表示パネルと、前記表示パネルを駆動する駆動手段とを備え、前記駆動手段は、前記表示パネルの色度ずれを補償する色度補正手段を有する表示装置であって、前記駆動手段に入力される映像データは、少なくとも第１の色データ、第２の色データ、第３の色データを含み、
前記色度補正手段は、色度座標上において、前記表示パネルの第１の色、第２の色、第３の色の目標とする規格上の色度座標を、Ｒｏ、Ｇｏ、Ｂｏとするとき、ＲｏとＧｏを通る直線と、ＧｏとＢｏを通る直線により、Ｇｏを中心座標とする所定の領域を、
ＲｏとＧｏを通る直線上のｙ座標より、ｙ座標が大で、かつ、ＧｏとＢｏを通る直線上のｙ座標より、ｙ座標が大である領域Ａと、
ＲｏとＧｏを通る直線上のｙ座標より、ｙ座標が大で、かつ、ＧｏとＢｏを通る直線上のｙ座標より、ｙ座標が小である領域Ｂと、
ＲｏとＧｏを通る直線上のｙ座標より、ｙ座標が小で、かつ、ＧｏとＢｏを通る直線上のｙ座標より、ｙ座標が大である領域Ｃと、
ＲｏとＧｏを通る直線上のｙ座標より、ｙ座標が小で、かつ、ＧｏとＢｏを通る直線上のｙ座標より、ｙ座標が小である領域Ｄの４つの領域に分割する手段１と、
色度座標変換の対象となる表示パネルの第１の色、第２の色、第３の色の色度座標をＲｉ、Ｇｉ、Ｂｉとするとき、Ｇｉが前記領域Ａないし領域Ｄの４つの４領域のどの領域に存在するかを判定する手段２と、
前記手段２で判定した結果、前記Ｇｉが領域Ａに属していれば、Ｇｏを色度座標変換の際に使用する目標色度座標となし、前記Ｇｉが領域Ｂに属していれば、ＧｉとＢｉとを結ぶ直線と、ＲｏとＧｏを結ぶ直線との交点Ｇａを求め、Ｇａを色度座標変換の際に使用する目標色座標となし、前記Ｒｉが領域Ｃに属していれば、ＲｉとＧｉとを結ぶ直線と、ＧｏとＢｏを結ぶ直線との交点Ｇｂを求め、Ｇｂを色度座標変換の際に使用する目標色度座標となし、前記Ｒｉが領域Ｄに属していれば、Ｒｉを色度座標変換の際に使用する目標色度座標とする手段３と、
前記手段３で求めた目標色度座標を用いて、前記第２の色の入力データに対して色度座標変換を行い、前記第１の色の出力データを生成する手段４とを有する。
【０００８】
（７）（６）において、前記所定の領域は、Ｇｏを中心として、ｘ座標で±０．５、ｙ座標で±０．５の範囲である。
（８）（６）において、前記手段３、手段４において、前記手段２で判定した結果、前記Ｇｉが領域Ａに属していれば、前記Ｇｉに代えて予め求めた代表値ＧＴａを使用し、前記Ｇｉが領域Ｂに属していれば、前記Ｇｉに代えて予め求めた代表値ＧＴｂを使用し、前記Ｇｉが領域Ｃに属していれば、前記Ｇｉに代えて予め求めた代表値ＧＴｃを使用する。
（９）（８）において、色度座標上において、予め、前記表示パネルの第２の色の分布データを取得しておき、領域Ａないし領域Ｃ毎に分布データの平均値を求めて、その平均値をその領域の代表値とする。
（１０）（６）において、前記手段２は、前記Ｇｉのｙ座標が、ＲｏとＧｏを通る直線上のｙ座標と一致し、かつ、ＧｏとＢｏを通る直線上のｙ座標より大きいとき、および、ＲｏとＧｏを通る直線上のｙ座標より大きく、かつ、ＧｏとＢｏを通る直線上のｙ座標と一致するとき、前記Ｇｉは、前記領域Ａに存在すると判定し、前記Ｇｉのｙ座標が、ＲｏとＧｏを通る直線上のｙ座標と一致し、かつ、ＧｏとＢｏを通る直線上のｙ座標より小さいとき、前記Ｇｉは、前記領域Ｂに存在すると判定し、前記Ｇｉのｙ座標が、ＲｏとＧｏを通る直線上のｙ座標より小さく、かつ、ＧｏとＢｏを通る直線上のｙ座標と一致するとき、前記Ｇｉは、前記領域Ｃに存在すると判定する。
【０００９】
（１１）表示パネルと、前記表示パネルを駆動する駆動手段とを備え、前記駆動手段は、前記表示パネルの色度ずれを補償する色度補正手段を有する表示装置であって、前記駆動手段に入力される映像データは、少なくとも第１の色データ、第２の色データ、第３の色データを含み、
前記色度補正手段は、色度座標上において、前記表示パネルの第１の色、第２の色、第３の色の目標とする規格上の色度座標を、Ｒｏ、Ｇｏ、Ｂｏとするとき、ＲｏとＢｏを通る直線と、ＧｏとＢｏを通る直線により、Ｂｏを中心座標とする所定の領域を、
ＲｏとＢｏを通る直線上のｙ座標より、ｙ座標が小で、かつ、ＧｏとＢｏを通る直線上のｙ座標より、ｙ座標が大である領域Ａと、
ＲｏとＢｏを通る直線上のｙ座標より、ｙ座標が小で、かつ、ＧｏとＢｏを通る直線上のｙ座標より、ｙ座標が小である領域Ｂと、
ＲｏとＢｏを通る直線上のｙ座標より、ｙ座標が大で、かつ、ＧｏとＢｏを通る直線上のｙ座標より、ｙ座標が大である領域Ｃと、
ＲｏとＢｏを通る直線上のｙ座標より、ｙ座標が大で、かつ、ＧｏとＢｏを通る直線上のｙ座標より、ｙ座標が大である領域Ｄの４つの領域に分割する手段１と、
色度座標変換の対象となる表示パネルの第１の色、第２の色、第３の色の色度座標をＲｉ、Ｇｉ、Ｂｉとするとき、Ｂｉが前記領域Ａないし領域Ｄの４つの４領域のどの領域に存在するかを判定する手段２と、
前記手段２で判定した結果、前記Ｂｉが領域Ａに属していれば、Ｂｏを色度座標変換の際に使用する目標色度座標となし、前記Ｂｉが領域Ｂに属していれば、ＧｉとＢｉとを結ぶ直線と、ＲｏとＢｏを結ぶ直線との交点Ｂａを求め、Ｂａを色度座標変換の際に使用する目標色座標となし、前記Ｒｉが領域Ｃに属していれば、ＲｉとＢｉとを結ぶ直線と、ＧｏとＢｏを結ぶ直線との交点Ｂｂを求め、Ｂｂを色度座標変換の際に使用する目標色度座標となし、前記Ｒｉが領域Ｄに属していれば、Ｒｉを色度座標変換の際に使用する目標色度座標とする手段３と、
前記手段３で求めた目標色度座標を用いて、前記第３の色の入力データに対して色度座標変換を行い、前記第１の色の出力データを生成する手段４とを有する。
【００１０】
（１２）（１１）において、前記所定の領域は、Ｂｏを中心として、ｘ座標で±０．５、ｙ座標で±０．５の範囲である。
（１３）（１１）において、前記手段３、手段４において、前記手段２で判定した結果、前記Ｂｉが領域Ａに属していれば、前記Ｂｉに代えて予め求めた代表値ＢＴａを使用し、前記Ｂｉが領域Ｂに属していれば、前記Ｂｉに代えて予め求めた代表値ＢＴｂを使用し、前記Ｂｉが領域Ｃに属していれば、前記Ｂｉに代えて予め求めた代表値ＢＴｃを使用する。
（１４）（１３）において、色度座標上において、予め、前記表示パネルの第３の色の分布データを取得しておき、領域Ａないし領域Ｃ毎に分布データの平均値を求めて、その平均値をその領域の代表値とする。
（１５）（１１）において、前記手段２は、前記Ｂｉのｙ座標が、ＧｏとＢｏを通る直線上のｙ座標と一致し、かつ、ＲｏとＢｏを通る直線上のｙ座標より小さいとき、および、ＧｏとＢｏを通る直線上のｙ座標より大きく、ＲｏとＢｏを通る直線上のｙ座標と一致するとき、前記Ｂｉは、前記領域Ａに存在すると判定し、前記Ｂｉのｙ座標が、ＧｏとＢｏを通る直線上のｙ座標より小さく、かつ、ＲｏとＢｏを通る直線上のｙ座標と一致するとき、前記Ｂｉは、前記領域Ｂに存在すると判定し、前記Ｂｉのｙ座標が、ＧｏとＢｏを通る直線上のｙ座標と一致し、かつ、ＲｏとＢｏを通る直線上のｙ座標より大きいとき、前記Ｂｉは、前記領域Ｃに存在すると判定する。
【発明の効果】
【００１１】
本願において開示される発明のうち代表的なものによって得られる効果を簡単に説明すれば、下記の通りである。
本発明によれば、表示パネルの色度ばらつきを補償する際に、補償後の色度ばらつき範囲を小さく抑えることが可能となる。
【図面の簡単な説明】
【００１２】
【図１】本発明の実施例の液晶表示装置の基本構成を示すブロック図である。
【図２】色度座標上において、赤（Ｒ）の色度点が、規格上の色度点Ｒｏに対し、実際の液晶表示パネルでは、Ｒａになった場合を説明するための図である。
【図３】本発明の実施例の色度補正手段の構成を示すブロック図である。
【図４】本発明の実施例の色度補正方法の手順を示すフローチャートである。
【図５Ａ】本発明の実施例１の色度補正方法において、赤（Ｒ）の目標座標を決定する方法を説明するためのグラフである。
【図５Ｂ】本発明の実施例１の色度補正方法において、緑（Ｇ）の目標座標を決定する方法を説明するためのグラフである。
【図５Ｃ】本発明の実施例１の色度補正方法において、青（Ｂ）の目標座標を決定する方法を説明するためのグラフである。
【図６】本発明の実施例の液晶表示パネルにおいて、色度座標変換後の色度座標を説明するためのグラフである。
【図７】特許文献１で提案した色度補正手段を説明するための概念図である。
【図８Ａ】図７に示す出力Ｒ演算回路を説明するための図である。
【図８Ｂ】図７に示す実施例の出力Ｇ演算回路を説明するための図である。
【図８Ｃ】図７に示す出力Ｂ演算回路を説明するための図である。
【図９Ａ】特許文献１で提案した、赤（Ｒ）の出力階調の演算方法を説明するためのグラフである。
【図９Ｂ】特許文献１で提案した、緑（Ｇ）の出力階調の演算方法を説明するためのグラフである。
【図９Ｃ】特許文献１で提案した、青（Ｂ）の出力階調の演算方法を説明するためのグラフである。
【図１０】本発明の実施例２の色度補正方法において、目標座標を決定する方法を説明するためのグラフである。
【図１１】液晶表示パネルの色度座標を説明するためのグラフである。
【発明を実施するための形態】
【００１３】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［実施例１］
図１は、本発明の実施例の液晶表示装置の基本構成を示すブロック図である。
本実施例の液晶表示装置は、液晶表示パネル（ＬＣＤ）と、液晶駆動回路５０と、フレキシブルプリント基板７２と、バックライト７００から構成される。液晶表示パネル（ＬＣＤ）の一辺には、液晶駆動回路５０が設けられており、この液晶駆動回路５０により液晶表示パネル（ＬＣＤ）に各種信号が供給される。液晶駆動回路５０には外部からの信号を供給するためにフレキシブルプリント基板７２が電気的に接続されている。
液晶表示パネル（ＬＣＤ）は、薄膜トランジスタ６１０、画素電極６１１、対向電極（コモン電極）６１５等が形成される基板６２０（以下、ＴＦＴ基板とも呼ぶ）と、カラーフィルタ等が形成される基板６３０（以下、フィルタ基板とも呼ぶ）とを、所定の間隙を隔てて重ね合わせ、該両基板間の周縁部近傍に枠状に設けたシール材（図示せず）により、両基板を貼り合わせると共に、シール材の内側に液晶組成物を封入、封止し、さらに、両基板の外側に偏光板を貼り付け、ＴＦＴ基板６２０にフレキシブルプリント基板７２を接続して構成される。
なお、本実施の形態は対向電極６１５がＴＦＴ基板６２０に設けられる所謂横電界方式の液晶表示パネルにも、対向電極６１５がフィルタ基板６３０に設けられる所謂縦電界方式の液晶表示パネルにも同様に適用される。
【００１４】
図１においては、図中ｘ方向に延在しｙ方向に並設される走査線（ゲート信号線とも呼ぶ）６２１と、ｙ方向に延在しｘ方向に並設される映像線（ドレイン信号線とも呼ぶ）６２２とが設けられており、走査線６２１と映像線６２２とで囲まれる領域に画素部６０８が形成されている。また、図１では、図中ｘ方向に延在しｙ方向に並設される対向電極信号線６２５も設けられている。
なお、液晶表示パネル（ＬＣＤ）は多数の画素部６０８をマトリクス状に備えているが、図を解り易くするため、図１では画素部６０８を１つだけ示している。マトリクス状に配置された画素部６０８は表示領域６０９を形成し、各画素部６０８が表示画像の画素の役割をはたし、表示領域６０９に画像を表示する。
各画素部６０８の薄膜トランジスタ６１０は、ソースが画素電極６１１に接続され、ドレインが映像線６２２に接続され、ゲートが走査線６２１に接続される。この薄膜トランジスタ６１０は、画素電極６１１に表示電圧（階調電圧）を供給するためのスイッチとして機能する。
なお、ソース、ドレインの呼び方は、バイアスの関係で逆になることもあるが、ここでは、映像線６２２に接続される方をドレインと称する。また、画素電極６１１と対向電極６１５とは容量（液晶容量）を形成している。
液晶駆動回路５０は、ＴＦＴ基板６２０を構成する透明な絶縁基板（ガラス基板、樹脂基板等）に配置される。液晶駆動回路５０は走査線６２１と映像線６２２と対向電極信号線６２５に接続している。
【００１５】
ＴＦＴ基板６２０には、フレキシブルプリント基板７２が接続されている。また、フレキシブルプリント基板７２にはコネクタ６４０が設けられている。コネクタ６４０は外部信号線と接続され外部からの信号が入力する。コネクタ６４０と液晶駆動回路５０の間には配線６３１が設けられており、外部からの信号は液晶駆動回路５０に入力する。
また、フレキシブルプリント基板７２はバックライト７００に定電圧を供給している。バックライト７００は液晶表示パネル（ＬＣＤ）の光源として使用される。なお、バックライト７００は液晶表示パネル（ＬＣＤ）の裏面または前面に設けられるが、図１では図を簡潔にするため、液晶表示パネル（ＬＣＤ）と並べて表示している。
液晶駆動回路５０は画素が表示すべき階調に対応する階調電圧を映像線６２２に出力する。薄膜トランジスタ６１０がオン状態（導通）になると、映像線６２２から階調電圧（映像信号）が画素電極６１１に供給される。その後、薄膜トランジスタ６１０がオフ状態となることで、画素が表示すべき映像に基づく階調電圧が、画素電極６１１に保持される。
対向電極６１５には、対向電極信号線６２５を介して一定の対向電極電圧が印加されており、液晶表示パネル（ＬＣＤ）は画素電極６１１と対向電極６１５との間の電位差により、間に挟まれた液晶分子の配向方向を変化させ、光の透過率または反射率を変化させることで画像を表示する。
【００１６】
図２は、色度座標上において、赤（Ｒ）の色度点が、規格上の目標とする色度点Ｒｏに対し、実際の液晶表示パネルでは、Ｒ１になった場合を説明するための図である。
図３は、本発明の実施例の色度補正手段の構成を示すブロック図である。
今、図２に示すように、たとえば、色度座標上において、赤（Ｒ）の色度点が、規格上の目標とする色度点Ｒｏに対して、実際の液晶表示パネル（ＬＣＤ）では、Ｒａになった場合に、これを補正する必要がある。
具体的には、図３に示すように、液晶表示パネル（ＬＣＤ）の前段にデータ変換手段１０４と、不揮発性メモリ（例えば、ＥＥＰＲＯＭ）１０３を設け、図４に示すような手順で補正する。
即ち、始めに、ステップ１１１において、液晶表示パネル（ＬＣＤ）の色度値を測定する。
次に、ステップ１１２において、色度座標上で目標とする色度と、液晶表示パネル（ＬＣＤ）の実測値から、入力階調に対する出力階調の変換テーブルを求め、不揮発性メモリ１０３に格納する。
次に、ステップ１１３において、データ変換手段１０４が、不揮発性メモリ１０３内の変換テーブルを読み出し、これに従って、入力階調を出力階調に変換して、液晶表示パネル（ＬＣＤ）に送り、液晶表示パネル（ＬＣＤ）に表示する。
ここで、データ変換手段１０４に入力される表示データを（Ｒ，Ｇ，Ｂ）とし、データ変換手段１０４から出力される表示データを（Ｒ’，Ｇ’，Ｂ’）とすると、Ｒ’は、（Ｒ，Ｇ，Ｂ）の関数となる。同様に、Ｇ’，Ｂ’も、それぞれ別の（Ｒ，Ｇ，Ｂ）の関数として表すことができる。
【００１７】
［実施例１］
前述したように、例えば、液晶表示パネルの規格上の目標色度をＲｏ（０．６３、０．３５）、Ｇｏ（０．３５、０．５６）、Ｇｏ（０．１５、０．１５）とし、公差が±０．０５とするとバラツキを含めた範囲は、図１１の点線に示す範囲（領域Ｒ（ＥＲＡ−Ｒ）、領域Ｇ（ＥＲＡ−Ｇ）、領域Ｂ（ＥＲＡ−Ｂ））となる。
本実施例では、図３の分割手段１００が、赤（Ｒ）の色度点については、ＲｏとＧｏとを通る直線（図５ＡのＬ１）と、ＲｏとＢｏを通る直線（図５ＡのＬ２）により、領域Ｒ（ＥＲＡ−Ｒ）を、下記の条件により、図５Ａの領域Ａ（ＥＲ−Ａ）〜領域Ｄ（ＥＲ−Ｄ）の４つの領域に４分割する。
（ａ）領域Ａ（ＥＲ−Ａ）；ＲｏとＧｏを通る直線（図５ＡのＬ１）上のｙ座標より、ｙ座標が大で、かつ、ＲｏとＢｏを通る直線（図５ＡのＬ２）上のｙ座標より、ｙ座標が小
（ｂ）領域Ｂ（ＥＲ−Ｂ）：ＲｏとＧｏを通る直線（図５ＡのＬ１）上のｙ座標より、ｙ座標が大で、かつ、ＲｏとＢｏを通る直線（図５ＡのＬ２）上のｙ座標より、ｙ座標が大
（ｃ）領域Ｃ（ＥＲ−Ｃ）：ＲｏとＧｏを通る直線（図５ＡのＬ１）上のｙ座標より、ｙ座標が小で、かつ、ＲｏとＢｏを通る直線（図５ＡのＬ２）上のｙ座標より、ｙ座標が小
（ｄ）領域Ｄ（ＥＲ−Ｄ）：ＲｏとＧｏを通る直線（図５ＡのＬ１）上のｙ座標より、ｙ座標が小で、かつ、ＲｏとＢｏを通る直線（図５ＡのＬ２）上のｙ座標より、ｙ座標が大
そして、色度座標変換の対象となる液晶表示パネル（ＬＣＤ）のＲ、Ｇ、Ｂの色度座標を、それぞれＲｉ、Ｇｉ、Ｂｉとするとき、図３の判定手段１０１が、Ｒｉが、図５Ａの領域Ａ（ＥＲ−Ａ）〜領域Ｄ（ＥＲ−Ｄ）の４つの領域に対して、どの領域に存在するかを判定する。
【００１８】
判定手段１０１での判定の結果、領域が領域Ａ（ＥＲ−Ａ）であれば、色度座標変換の目標座標をＲｏとする。
また、領域Ｂ（ＥＲ−Ｂ）であれば、ＲｉとＢｉとを結ぶ直線（図５ＡのＬ４）と、ＲｏとＧｏとを結ぶ直線（図５ＡのＬ１）との交点Ｒａを求め、色度座標変換の目標座標をＲａとする。
また、領域Ｃ（ＥＲ−Ｃ）であれば、ＲｉとＧｉとを結ぶ直線（図５ＡのＬ３）と、ＲｏとＢｏとを結ぶ直線（図５ＡのＬ２）の交点Ｒｂを求め、色度座標変換の目標座標をＲｂとする。
さらに、領域Ｄ（ＥＲ−Ｄ）であれば、色度座標変換の目標座標をＲｉとする。
なお、判定手段１０１は、Ｒｉのｙ座標が、ＲｏとＧｏを通る直線上のｙ座標と一致し、かつ、ＲｏとＢｏを通る直線上のｙ座標より小さいとき、および、ＲｏとＧｏを通る直線上のｙ座標より大きく、かつ、ＲｏとＢｏを通る直線上のｙ座標と一致するとき、Ｒｉは、領域Ａ（ＥＲ−Ａ）に存在すると判定する。
また、Ｒｉのｙ座標が、ＲｏとＧｏを通る直線上のｙ座標と一致し、かつ、ＲｏとＢｏを通る直線上のｙ座標より大きいとき、Ｒｉは、領域Ｂ（ＥＲ−Ｂ）に存在すると判定する。
さらに、Ｒｉのｙ座標が、ＲｏとＧｏを通る直線上のｙ座標より小さく、かつ、ＲｏとＢｏを通る直線上のｙ座標と一致するとき、Ｒｉは、領域Ｃ（ＥＲ−Ｃ）に存在すると判定する。
【００１９】
また、図３の分割手段１００は、緑（Ｇ）の色度点については、ＲｏとＧｏとを通る直線（図５ＢのＬ１）と、ＧｏとＢｏを通る直線（図５ＢのＬ５）により、領域Ｇ（ＥＲＡ−Ｇ）を、下記の条件により、図５Ｂの領域Ａ（ＥＧ−Ａ）〜領域Ｄ（ＥＧ−Ｄ）の４つの領域に４分割する。
（ａ）領域Ａ（ＥＧ−Ａ）；ＲｏとＧｏを通る直線（図５ＢのＬ１）上のｙ座標より、ｙ座標が大で、かつ、ＧｏとＢｏを通る直線（図５ＢのＬ５）上のｙ座標より、ｙ座標が大
（ｂ）領域Ｂ（ＥＧ−Ｂ）：ＲｏとＧｏを通る直線（図５ＢのＬ１）上のｙ座標より、ｙ座標が大で、かつ、ＧｏとＢｏを通る直線（図５ＢのＬ５）上のｙ座標より、ｙ座標が小
（ｃ）領域Ｃ（ＥＧ−Ｃ）：ＲｏとＧｏを通る直線（図５ＢのＬ１）上のｙ座標より、ｙ座標が小で、かつ、ＧｏとＢｏを通る直線（図５ＢのＬ５）上のｙ座標より、ｙ座標が大
（ｄ）領域Ｄ（ＥＧ−Ｄ）：ＲｏとＧｏを通る直線（図５ＢのＬ１）上のｙ座標より、ｙ座標が小で、かつ、ＧｏとＢｏを通る直線（図５ＢのＬ５）上のｙ座標より、ｙ座標が小
そして、図３の判定手段１０１が、Ｇｉが、図５Ｂの領域Ａ（ＥＧ−Ａ）〜領域Ｄ（ＥＧ−Ｄ）の４つの領域に対して、どの領域に存在するかを判定する。
【００２０】
判定手段１０１での判定の結果、領域が領域Ａ（ＥＧ−Ａ）であれば、色度座標変換の目標座標をＧｏとする。
また、領域Ｂ（ＥＧ−Ｂ）であれば、ＧｉとＢｉとを結ぶ直線（図５ＢのＬ６）と、ＲｏとＧｏとを結ぶ直線（図５ＡのＬ１）との交点Ｇａを求め、色度座標変換の目標座標をＧａとする。
また、領域Ｃ（ＥＧ−Ｃ）であれば、ＲｉとＧｉとを結ぶ直線（図５ＢのＬ３）と、ＧｏとＢｏとを結ぶ直線（図５ＢのＬ５）の交点Ｇｂを求め、色度座標変換の目標座標をＧｂとする。
さらに、領域Ｄ（ＥＧ−Ｄ）であれば、色度座標変換の目標座標をＧｉとする。
なお、判定手段１０１は、Ｇｉのｙ座標が、ＲｏとＧｏを通る直線上のｙ座標と一致し、かつ、ＧｏとＢｏを通る直線上のｙ座標より大きいとき、および、ＲｏとＧｏを通る直線上のｙ座標より大きく、かつ、ＧｏとＢｏを通る直線上のｙ座標と一致するとき、Ｇｉは、領域Ａ（ＥＧ−Ａ）に存在すると判定する。
また、Ｇｉのｙ座標が、ＲｏとＧｏを通る直線上のｙ座標と一致し、かつ、ＧｏとＢｏを通る直線上のｙ座標より小さいとき、Ｇｉは、領域Ｂ（ＥＧ−Ｂ）に存在すると判定する。
さらに、Ｇｉのｙ座標が、ＲｏとＧｏを通る直線上のｙ座標より小さく、かつ、ＧｏとＢｏを通る直線上のｙ座標と一致するとき、Ｇｉは、領域Ｃ（ＥＧＲ−Ｃ）に存在すると判定する。
【００２１】
さらに、図３の分割手段１００は、青（Ｒ）の色度点については、ＲｏとＢｏとを通る直線（図５ＣのＬ２）と、ＧｏとＢｏを通る直線（図５ＣのＬ５）により、領域Ｂ（ＥＢＡ−Ｂ）を、下記の条件により、図５Ｃの領域Ａ（ＥＢ−Ａ）〜領域Ｄ（ＥＢ−Ｄ）の４つの領域に４分割する。
（ａ）領域Ａ（ＥＢ−Ａ）；ＲｏとＢｏを通る直線（図５ＣのＬ２）上のｙ座標より、ｙ座標が小で、かつ、ＧｏとＢｏを通る直線（図５ＣのＬ５）上のｙ座標より、ｙ座標が大
（ｂ）領域Ｂ（ＥＢ−Ｂ）：ＲｏとＢｏを通る直線（図５ＣのＬ２）上のｙ座標より、ｙ座標が小で、かつ、ＧｏとＢｏを通る直線（図５ＣのＬ５）上のｙ座標より、ｙ座標が小
（ｃ）領域Ｃ（ＥＢ−Ｃ）：ＲｏとＢｏを通る直線（図５ＣのＬ２）上のｙ座標より、ｙ座標が大で、かつ、ＧｏとＢｏを通る直線（図５ＣのＬ５）上のｙ座標より、ｙ座標が大
（ｄ）領域Ｄ（ＥＢ−Ｄ）：ＲｏとＢｏを通る直線（図５ＣのＬ２）上のｙ座標より、ｙ座標が大で、かつ、ＧｏとＢｏを通る直線（図５ＣのＬ５）上のｙ座標より、ｙ座標が大
そして、図３の判定手段１０１が、Ｂｉが、図５Ｃの領域Ａ（ＥＢ−Ａ）〜領域Ｄ（ＥＢ−Ｄ）の４つの領域に対して、どの領域に存在するかを判定する。
【００２２】
判定手段１０１での判定の結果、領域が領域Ａ（ＥＢ−Ａ）であれば、色度座標変換の目標座標をＢｏとする。
また、領域Ｂ（ＥＢ−Ｂ）であれば、ＧｉとＢｉとを結ぶ直線（図５ＣのＬ６）と、ＲｏとＢｏとを結ぶ直線（図５ＣのＬ２）との交点Ｂａを求め、色度座標変換の目標座標をＢａとする。
また、領域Ｃ（ＥＢ−Ｃ）であれば、ＲｉとＢｉとを結ぶ直線（図５ＣのＬ４）と、ＧｏとＢｏとを結ぶ直線（図５ＣのＬ５）の交点Ｂｂを求め、色度座標変換の目標座標をＢｂとする。
さらに、領域Ｄ（ＥＢ−Ｄ）であれば、色度座標変換の目標座標をＢｉとする。
なお、判定手段１０１は、Ｂｉのｙ座標が、ＲｏとＢｏを通る直線上のｙ座標と一致し、かつ、ＧｏとＢｏを通る直線上のｙ座標より大きいとき、および、ＲｏとＢｏを通る直線上のｙ座標より小さく、かつ、ＧｏとＢｏを通る直線上のｙ座標と一致するとき、Ｂｉは、領域Ａ（ＥＢ−Ａ）に存在すると判定する。
また、Ｂｉのｙ座標が、ＲｏとＢｏを通る直線上のｙ座標と一致し、かつ、ＧｏとＢｏを通る直線上のｙ座標より小さいとき、Ｂｉは、領域Ｂ（ＥＢ−Ｂ）に存在すると判定する。
さらに、Ｂｉのｙ座標が、ＲｏとＢｏを通る直線上のｙ座標より大きく、かつ、ＧｏとＢｏを通る直線上のｙ座標と一致するとき、Ｂｉは、領域Ｃ（ＥＢ−Ｃ）に存在すると判定する。
そして、図３のテーブル作成手段１０２が、色度座標上で目標とする目標色度と、液晶表示パネル（ＬＣＤ）の実測値から、入力階調に対する出力階調の変換テーブルを作成し、不揮発性メモリ１０３に格納する。
【００２３】
これらを基に、例えば、前述の特許文献１で提案したようなデータ変換により、色度座標の変換を行う。これにより、変換後の色度座標は、図６の斜線部で示す領域となり、変換前の領域Ｒ（ＥＲＡ−Ａ）、領域Ｇ（ＥＲＡ−Ｇ）、領域Ｂ（ＥＲＡ−Ｂ）と比較すると、ばらつき範囲を大幅に低減することが可能となる。
なお、本実施例では、色度座標の変換処理を、前述の特許文献１で提案したようなデータ変換に限らず、それ以外の良く知られた方法で行うことも可能であるが、以下、前述の特許文献１で提案した色度補正方法について説明する。
また、以下の説明では、入力される赤（Ｒ）、緑（Ｇ）、青（Ｂ）のデータは８ビットで、２５６階調のデータとする。
図７は、前述の特許文献１で提案した色度補正手段を説明するための概念図である。図７に示すように、前述の特許文献１で提案した色度補正手段は、出力Ｒ演算回路１０と、出力Ｇ演算回路２０と、出力Ｂ演算回路３０とを有する。
出力Ｒ演算回路１０は、緑（Ｇ）、青（Ｂ）の６４（２の６乗）階調刻みの組み合わせで２５個の赤（Ｒ）の変換テーブル１１と、演算回路１２とで構成される。２５個の赤（Ｒ）の変換テーブル１１には、緑（Ｇ）、青（Ｂ）がそれぞれの値のときに、赤（Ｒ）の入力階調に対する出力階調を予め格納しておく。すなわち、２５個の赤（Ｒ）の変換テーブル１１には、入力される赤（Ｒ）、緑（Ｇ）、青（Ｂ）の組み合わせに対し、色度座標変換を行い、所望の色度座標を表示するときに必要な、赤（Ｒ）の出力階調データを格納しておく。この場合に、液晶表示パネルの規格上の目標色度（Ｒｏ，Ｇｏ，Ｇｏ）に代えて、前述の方法で求めた目標座標を使用する。
【００２４】
出力Ｇ演算回路２０は、赤（Ｒ）、青（Ｂ）の６４階調刻みの組み合わせで２５個の緑（Ｇ）の変換テーブル（図８Ｂの２１）と、演算回路（図８Ｂの２２）とで構成される。２５個の緑（Ｇ）の変換テーブル（図８Ｂの２１）には、赤（Ｒ）、青（Ｂ）がそれぞれの値のときに、緑（Ｇ）の入力階調に対する出力階調を予め格納しておく。すなわち、２５個の緑（Ｇ）の変換テーブル（図８Ｂの２１）には、入力される赤（Ｒ）、緑（Ｇ）、青（Ｂ）の組み合わせに対し、色度座標変換を行い、所望の色度座標を表示するときに必要な、緑（Ｇ）の出力階調データを格納しておく。
出力Ｂ演算回路３０は、赤（Ｒ）、緑（Ｇ）の６４階調刻みの組み合わせで２５個の青（Ｂ）の変換テーブル（図８Ｃの３１）と、演算回路（図８Ｃの３２）とで構成される。２５個の青（Ｂ）の変換テーブル（図８Ｃの３１）には、赤（Ｒ）、緑（Ｒ）がそれぞれの値のときに、青（Ｂ）の入力階調に対する出力階調を予め格納しておく。すなわち、２５個の青（Ｂ）の変換テーブル（図８Ｃの３１）には、入力される赤（Ｒ）、緑（Ｇ）、青（Ｂ）の組み合わせに対し、色度座標変換を行い、所望の色度座標を表示するときに必要な、青（Ｂ）の出力階調データを格納しておく。
なお、各変換テーブルは、不揮発性メモリ（例えば、ＥＥＰＲＯＭ）で構成される。
【００２５】
以下、８ビットのＲｘ，Ｇｘ，Ｂｘの階調データが入力した場合について説明する。
ここで、Ｒｘ、Ｇｘ，Ｂｘは、１９２≦Ｒｘ≦２５６、１２８≦Ｇｘ≦１９２、６４≦Ｂｘ≦１２８であるとする。
前述の赤（Ｒ）、緑（Ｇ）、青（Ｂ）のそれぞれの入力階調データについて、２５個の赤（Ｒ）、緑（Ｇ）、青（Ｂ）の変換テーブル（１１、２１，３１）の各変換テーブルのパラメータと、入力階調データとの大小関係により、図８ＡのＡ、図８ＢのＢ、図８ＣのＣに示すように、この入力階調データを囲む変換テーブルを選択する。
以下、赤（Ｒ）の出力階調の演算方法について詳細に説明する。
１２８≦Ｇｘ≦１９２、６４≦Ｂｘ≦１２８の大小関係より、図８ＡのＡに示すように、出力Ｒ演算回路１０内の『Ｇ＝１２８，Ｂ＝６４』、『Ｇ＝１２８，Ｂ＝１２８』、『Ｇ＝１９２，Ｂ＝６４』、『Ｇ＝１９２，Ｂ＝１２８』の変換テーブルを選択し、各々の変換テーブルについて、赤（Ｒ）の入力階調に対する出力階調の値を読み出す。
この値を、各々ｒ００，ｒ１０，ｒ０１，ｒ１１とする。このときＢｘ、Ｇｘと、ｒ００，ｒ０１，ｒ１０，ｒ１１を図示すると図９Ａのグラフにように表される。
なお、図８Ａは、図７に示す出力Ｒ演算回路１０を説明するための図であり、図９Ａは、前述の特許文献１で提案した、赤（Ｒ）の出力階調の演算方法を説明するためのグラフである。また、図８Ａにおいて、Ｒ−ＩＮは、赤（Ｒ）の入力階調を、Ｒ−ＯＵＴは、赤（Ｒ）の出力階調を示し、図９Ａにおいて、Ｂ−ＩＮは、緑（Ｇ）の入力階調を、Ｒ−ＯＵＴは、赤（Ｒ）の出力階調を示す。
図９Ａのグラフにおいて、Ｂｘに対する傾きは、下記（１）式で表され、Ｂｘ＝６４のときの赤（Ｒ）の出力階調の値は、下記（２）式で表される。
【００２６】
2012242420.tif 000003
・・・・・・・    （１）
2012242420.tif 000004
【００２７】
例えば、緑（Ｇ）を０階調で固定し、青（Ｂ）を３２階調刻み変更した場合、赤（Ｒ）の入力階調に対する赤（Ｒ）の出力階調は、高階調側では直線的に変化するが、低階調側（１２８階調以下）では曲線的に変化する。
しかしながら、赤（Ｒ）の入力階調が一定の条件では、青（Ｂ）の変化に対して、赤（Ｒ）の出力階調は直線的（リニア）に変化する。
したがって、１２８≦Ｇｘ≦１９２、６４≦Ｇｘ≦１２８の範囲において、Ｇｘ，Ｂｘの変化に対し、赤（Ｒ）の出力階調が直線的（リニア）に変化するものと考えると、ＲＸの赤（Ｒ）の入力階調に対する赤（Ｒ）の出力階調ｒｘは、下記（３）式で計算することができ、（３）式を簡単にすると下記（４）式が得られる。
【００２８】
2012242420.tif 000005
・・・・・・・    （３）
2012242420.tif 000006
・・・・・・・    （４）
【００２９】
図８Ａ〜図８Ｃに示すように、赤（Ｒ）、緑（Ｇ）、青（Ｂ）の変換テーブル（１１、２１，３１）において、各変換テーブルを２のｎ（ここでは、ｎ＝６）乗の値に関して求めることにより、（４）式の割り算の分母は２のｍ（ここでは、ｍ＝６）乗の形になり、デジタル回路での構成が容易となる。
また、デジタル回路は、簡単な加減算および高々６ビットの掛け算となるので、（４）式は比較的簡単なデジタル回路で構成することが可能である。
緑（Ｇ）の出力階調、青（Ｂ）の出力階調についても、赤（Ｒ）の出力階調と同様に求めることできる。
即ち、１９２≦Ｒｘ≦２５６、６４≦Ｂｘ≦１２８の大小関係より、図８ＢのＢに示すように、出力Ｇ演算回路２０内の『Ｒ＝１９２，Ｂ＝６４』、『Ｒ＝１９２，Ｂ＝１２８』、『Ｒ＝２５６，Ｂ＝６４』、『Ｒ＝２５６，Ｂ＝１２８』の変換テーブルを選択し、各々の変換テーブルについて、緑（Ｇ）の入力階調に対する出力階調の値を読み出す。この値を、各々ｇ００，ｇ１０，ｇ０１，ｇ１１とするとき、Ｒｘ、Ｂｘと、ｇ００，ｇ０１，ｇ１０，ｇ１１を図示すると、図９Ｂのグラフにように表される。
なお、図８Ｂは、図７の出力Ｇ演算回路２０を説明するための図であり、図９Ｂは、前述の特許文献１で提案した、緑（Ｇ）の出力階調の演算方法を説明するためのグラフである。また、図８Ｂにおいて、Ｇ−ＩＮは、緑（Ｇ）の入力階調を、Ｇ−ＯＵＴは、緑（Ｇ）の出力階調を示し、図９Ｂにおいて、Ｂ−ＩＮは、青（Ｂ）の入力階調を、Ｇ−ＯＵＴは、緑（Ｇ）の出力階調を示す。
そして、ＧＸの緑（Ｇ）の入力階調に対する緑（Ｇ）の出力階調ｇｘは下記（５）式で表される。
【００３０】
2012242420.tif 000007
・・・・・・・    （５）
【００３１】
同様に、１９２≦Ｒｘ≦２５６、１２８≦Ｇｘ≦１９２の大小関係より、図８ＣのＣに示すように、出力Ｂ演算回路３０内の『Ｒ＝１９２，Ｇ＝１２８』、『Ｒ＝１９２，Ｇ＝１９２』、『Ｒ＝２５６，Ｇ＝１２８』、『Ｒ＝２５６，Ｇ＝１９２』の変換テーブルを選択し、各々の変換テーブルについて、青（Ｇ）の入力階調に対する出力階調の値を読み出す。この値を、各々ｂ００，ｂ１０，ｂ０１，ｂ１１とするとき、Ｒｘ、Ｇｘと、ｂ００，ｂ０１，ｂ１０，ｂ１１を図示すると、図９Ｃのグラフにように表される。
なお、図８Ｃは、図７の出力Ｂ演算回路３０を説明するための図であり、図９Ｃは、前述の特許文献１で提案した、青（Ｂ）の出力階調の演算方法を説明するためのグラフである。また、図８Ｃにおいて、Ｂ−ＩＮは、青（Ｂ）の入力階調を、ＣΒＯＵＴは、青（Ｂ）の出力階調を示し、図９Ｃにおいて、Ｇ−ＩＮは、緑（Ｇ）の入力階調を、ＣΒＯＵＴは、青（Ｂ）の出力階調を示す。
そして、ＢＸの青（Ｇ）の入力階調に対する青（Ｇ）の出力階調ｂｘは下記（６）式で表される。
【００３２】
2012242420.tif 000008
・・・・・・・    （６）
【００３３】
なお、前述の説明において、２５６階調の赤（Ｒ）、緑（Ｇ）、青（Ｂ）の入力階調（Ｒ−ＩＮ，Ｇ−ＩＮ，Ｂ−ＩＮ）の値と、２５６階調の赤（Ｒ）、緑（Ｇ）、青（Ｂ）の出力階調（Ｒ−ＯＵＴ，Ｇ−ＯＵＴ，ＣΒＯＵＴ）の値は、演算で求められる値である。
さらに、前述の（４）〜（６）式において、ｒｘ、ｇｘ、ｂｘの値が、小数点を含む場合、小数点以下は切り下げ、あるいは、四捨五入すればよい。
このように、前述の特許文献１で提案した色度補正方法によれば、比較的少ない変換テーブルのテーブル量で色度座標変換が可能となる。
従来の色度補正方法のように、１６７０万ワードの変換テーブルを持つ場合、１６７０万ワード×８ビット×３＝４００Ｍｂｉｔのメモリ量が必要となる。
これに対して、前述の特許文献１で提案した色度補正方法によれば、２５６ワード×８ｂｉｔ×２５×３＝１５４ｋｂｉｔのメモリ量で済み、従来よりもメモリ量を低減することが可能である。
【００３４】
前述したように、例えば、緑（Ｇ）を０階調で固定し、青（Ｂ）を３２階調刻み変更した場合、赤（Ｒ）の入力階調に対する赤（Ｒ）の出力階調は、高階調側では直線的に変化するが、低階調側（１２８階調以下）では曲線的に変化する。
そこで、赤（Ｒ）の変換テーブル１１、緑（Ｇ）の変換テーブル２１、および、青（Ｂ）の変換テーブル３１の階調の刻み幅は、低階調側で小さく、高階調側で大きくすることも可能である。例えば、赤（Ｒ）の変換テーブル１１は、緑（Ｇ）、青（Ｂ）がそれぞれ１２８階調以下の時に、緑（Ｇ）、青（Ｂ）の６４（２の６乗）刻みの組み合わせ毎に、赤（Ｒ）の入力階調に対する出力階調を格納する変換テーブルと、緑（Ｇ）、青（Ｂ）がそれぞれ１２８階調以上のときには、緑（Ｇ）、青（Ｂ）の１２８（２の７乗）刻みの組み合わせ毎に、赤（Ｒ）の入力階調に対する出力階調を格納する変換テーブルとで構成して良い。
あるいは、赤（Ｒ）の変換テーブル１１は、緑（Ｇ）、青（Ｂ）がそれぞれ１２８階調以下の時に、緑（Ｇ）、青（Ｂ）の３２（２の５乗）刻みの組み合わせ毎に、赤（Ｒ）の入力階調に対する出力階調を格納する変換テーブルと、緑（Ｇ）、青（Ｂ）がそれぞれ１２８階調以上のときには、緑（Ｇ）、青（Ｂ）の１２８（２の７乗）刻みの組み合わせ毎に、赤（Ｒ）の入力階調に対する出力階調を格納する変換テーブルとで構成して良い。
【００３５】
［実施例２］
例えば、前述した方法により、目標座標を決定し、前述の特許文献１で提案したようなデータ変換により色度座標変換を行う場合、液晶表示パネル（ＬＣＤ）１台ごとに色度座標を測定し、それを基に、２５６ワード×８ｂｉｔ×２５×３＝１５４ｋｂｉｔのテーブルデータ値を計算する必要がある。
本実施例は、液晶表示パネル（ＬＣＤ）１台ごとのテーブルデータ値の演算を簡略化する方法である。
具体的には、赤（Ｒ）の色データについては、前述実施例１で述べた領域Ａ（ＥＲ−Ａ）〜領域Ｃ（ＥＲ−Ｃ）について、予め、液晶表示パネル（ＬＣＤ）の色データの分布データを取っておき、各領域毎の平均値を取ってその点をその領域の代表値とする。図１０の例では、領域Ａ（ＥＲ−Ａ）〜領域Ｃ（ＥＲ−Ｃ）の代表値は、Ｒａ〜Ｒｃとなる。
前述の方法で決定した代表値に関し、前述の特許文献１で提案した色度変換方法におけるそのテーブルデータ値を演算する。
次に、色度変換を行う液晶表示パネル（ＬＣＤ）１台毎に、その色度値（Ｒｉ）を測定し、それが領域Ａ（ＥＲ−Ａ）〜領域Ｃ（ＥＲ−Ｃ）のどれに相当するかを判定し、その領域の代表値（Ｒａ〜Ｒｃ）に対するテーブルデータ値を決定する。図１０の例では、領域Ａ（ＥＲ−Ａ）の代表値Ｒａに対するテーブルデータ値で色度変換を行う。
緑（Ｇ）、青（Ｂ）についても同様の手順にてテーブルデータ値を決定し、それにしたがって色度座標変換を行う。
本実施例によれば、液晶表示パネル（ＬＣＤ）１台ごとの測定結果に基づき、１５４ｋｂｉｔのテーブルデータ値を演算する必要がなくなるので、調整時間の短縮が可能となる。
【００３６】
なお、前述の説明では、入力される映像データとして、ＲＧＢを使用する場合について説明したが、本発明は、これに限定されるものではなく、ＸＹＺなどの他の色表示系を使用することも可能である。
また、前述の説明では、赤（Ｒ）、緑（Ｇ）、青（Ｂ）の全てについて、分割手段１００、判定手段１０１、およびテーブル作成手段１０２を具備する場合について説明したが、赤（Ｒ）、緑（Ｇ）、青（Ｂ）の全てについて、分割手段１００、判定手段１０１、およびテーブル作成手段１０２を具備する必要はない。少なくとも１つの色について、分割手段１００、判定手段１０１、およびテーブル作成手段１０２を具備していれば、前述した本発明の効果を得ることができる。例えば、赤（Ｒ）の色度点のみ厳密に調整する必要がある場合は、赤（Ｒ）について、分割手段１００、判定手段１０１、およびテーブル作成手段１０２を具備し、緑（Ｇ）、青（Ｂ）は具備しない構成にしてもよい。
また、本明細書では、本発明を液晶表示装置に適用した実施例について説明したが、本発明は、これに限定されるものではなく、無機ＥＬ表示装置、あるいは、有機ＥＬ表示などのＥＬ表示装置にも適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００３７】
１０  出力Ｒ演算回路
１１  赤（Ｒ）の変換テーブル
１２，２２，３２  演算回路
２０  出力Ｇ演算回路
２１  緑（Ｇ）の変換テーブル
３０  出力Ｂ演算回路
３１  青（Ｂ）の変換テーブル
５０  液晶駆動回路
７２  フレキシブルプリント基板
１００  分割手段
１０１  判定手段
１０２  テーブル作成手段
１０３  不揮発性メモリ（例えば、ＥＥＰＲＯＭ）
１０４  データ変換手段
６０８  画素部
６０９  表示領域
６１０  薄膜トランジスタ
６１１  画素電極
６１５  対向電極（コモン電極）
６２０，６３０  基板
６２１  走査線（ゲート信号線とも呼ぶ）
６２２  映像線（ドレイン信号線とも呼ぶ）
６２５  対向電極信号線
６３１  配線
６４０  コネクタ
７００  バックライト
ＬＣＤ  液晶表示パネル
【図１】
2012242420.tif 000009
【図２】
2012242420.tif 000010
【図３】
2012242420.tif 000011
【図４】
2012242420.tif 000012
【図５Ａ】
2012242420.tif 000013
【図５Ｂ】
2012242420.tif 000014
【図５Ｃ】
2012242420.tif 000015
【図６】
2012242420.tif 000016
【図７】
2012242420.tif 000017
【図８Ａ】
2012242420.tif 000018
【図８Ｂ】
2012242420.tif 000019
【図８Ｃ】
2012242420.tif 000020
【図９Ａ】
2012242420.tif 000021
【図９Ｂ】
2012242420.tif 000022
【図９Ｃ】
2012242420.tif 000023
【図１０】
2012242420.tif 000024
【図１１】
2012242420.tif 000025